(57)【要約】【課題】庭やベランダ等に置いてある履物を雨や埃等から保護することができるとともに、コンパクトに収納可能な履物カバーを提供する。【解決手段】履物２を覆うカバー本体３を備える履物カバー１において、カバー本体３を、履物２の上方に位置する可撓性の天井部１０と、履物２を取り囲むように天井部１０に連設される第１側板１１、第２側板１２、第３側板１３および第４側板１４とを有するものとし、かつ第１側板１１、第２側板１２、第３側板１３および第４側板１４を重ね合わせた状態に折り畳み可能な構成とする。【選択図】図１
0003149569.tif 000002
【実用新案登録請求の範囲】
【請求項１】
履物を覆うカバー本体を備える履物カバーにおいて、
前記カバー本体は、履物の上方に位置する可撓性の天井部と、履物を取り囲むように前記天井部に連設される複数の側板とを有し、かつ前記複数の側板を重ね合わせた状態に折り畳み可能であることを特徴とする履物カバー。
【請求項２】
前記カバー本体に、履物が置かれる履物載置面との隙間を塞ぐように下方に幕状に垂れ下がる垂幕状部材が設けられ、この垂幕状部材の裾に錘が組み込まれている請求項１に記載の履物カバー。
【請求項３】
前記カバー本体に、錘を詰め込み可能なポケット部材が設けられている請求項１または２に記載の履物カバー。
【考案の詳細な説明】
【技術分野】
【０００１】
本考案は、庭やベランダ等に置いてあるスリッパ、サンダル等の履物を覆う履物カバーに関するものである。
【背景技術】
【０００２】
従来、この種の履物カバーとして、例えば特許文献１にて提案されているものがある。
【先行技術文献】
【特許文献】
【０００３】
【特許文献１】特開平１０−５００３号公報
【０００４】
この特許文献１に係る履物カバーは、履物１足分を収容可能な大きさのカバー本体を備えて構成されている。このカバー本体は、合成樹脂製で、楕円状球体の半球の形状に成形されている。
この履物カバーによれば、庭やベランダ等に置いてある履物に向かって飛んでくる雨や埃をカバー本体で遮ることができるので、雨や埃等から履物を保護することができる。
【０００５】
しかしながら、特許文献１に係る履物カバーでは、例えば使用しないときに該履物カバーを何処かに収納しようと思っても、履物１足分を収容することができる大きさのカバー本体を含む全体を収納可能なスペースを確保しなければならず、収納場所の選定に困るという問題点がある。
【考案の概要】
【考案が解決しようとする課題】
【０００６】
本考案は、このような問題点を解消するためになされたもので、庭やベランダ等に置いてある履物を雨や埃等から保護することができるとともに、コンパクトに収納可能な履物カバーを提供することを目的とするものである。
【課題を解決するための手段】
【０００７】
前記目的を達成するために、本考案による履物カバーは、
履物を覆うカバー本体を備える履物カバーにおいて、
前記カバー本体は、履物の上方に位置する可撓性の天井部と、履物を取り囲むように前記天井部に連設される複数の側板とを有し、かつ前記複数の側板を重ね合わせた状態に折り畳み可能であることを特徴とするものである（第１考案）。
【０００８】
本考案において、前記カバー本体に、履物が置かれる履物載置面との隙間を塞ぐように下方に幕状に垂れ下がる垂幕状部材が設けられ、この垂幕状部材の裾に錘が組み込まれているのが好ましい（第２考案）。
【０００９】
本考案において、前記カバー本体に、錘を詰め込み可能なポケット部材が設けられているのが好ましい（第３考案）。
【考案の効果】
【００１０】
本考案の履物カバーによれば、庭やベランダ等に置いてある履物に向かって飛んでくる雨や埃をカバー本体で遮ることができるので、雨や埃等から履物を保護することができる。
さらに、本考案の履物カバーによれば、複数の側板を互いに重ね合わせてカバー本体を扁平な状態に折り畳むことができるので、使用しないときなどにはコンパクトに収納することができる。
【図面の簡単な説明】
【００１１】
【図１】本考案の一実施形態に係る履物カバーを上方から見た斜視図である。
【図２】本実施形態の履物カバーを下方から見た斜視図である。
【図３】本実施形態の履物カバーを二つ折りに折り畳んだ状態図である。
【図４】本実施形態の履物カバーを四つ折りに折り畳んだ状態図である。
【考案を実施するための形態】
【００１２】
次に、本考案による履物カバーの具体的な実施の形態について、図面を参照しつつ説明する。
【００１３】
図１に示されるように、本実施形態の履物カバー１は、庭やベランダ等に置いてあるスリッパ、サンダル等の履物２を少なくとも１足分収容して覆うことのできる大きさのカバー本体３を備えている。
カバー本体３は、履物２の上方に位置する略四角形状の天井部１０と、履物２を取り囲むように天井部１０の四辺に対応して配される略台形状の第１側板１１、第２側板１２、第３側板１３および第４側板１４とを有している。
【００１４】
天井部１０は、合成繊維布で形成され、任意に撓ませたり、折り畳んだりすることができる。
合成繊維布としては、ポリエステル繊維布やナイロン繊維布、アクリル繊維布などが好適に用いられる。
天井部１０の表面には、樹脂をコーティングしたり、樹脂フィルムをラミネートしたりするなどの防水加工が施され、天井部１０に雨水が浸透・通過しないようにされている。
防水加工に代えて、シリコンやフッ素系の撥水剤を塗布する撥水加工を天井部１０の表面に施すようにしても良い。
【００１５】
各側板１１〜１４は、弾発力を有する金属製のワイヤを略台形形状に折り曲げ成形してなるフレーム材１５に、天井部１０と同様の合成繊維布を張った状態に設けて形成されている。
各側板１１〜１４の表面には、天井部１０と同様に防水加工または撥水加工が施され、各側板１１〜１４に雨水が浸透・通過しないようにされている。
【００１６】
カバー本体３においては、天井部１０に第１側板１１、第２側板１２、第３側板１３および第４側板１４がそれぞれ縫い合わされるとともに、第１側板１１と第２側板１２、第２側板１２と第３側板１３、第３側板１３と第４側板１４および第４側板１４と第１側板１１がそれぞれ互いに縫い合わされることにより、外観視で截頭四角錐状の下方に開口された箱型構造を呈するものとされている。
【００１７】
図２に示されるように、カバー本体３の下部には、履物２が置かれる履物載置面との隙間を塞ぐように下方に垂れ下がる垂幕状部材１６が設けられている。
垂幕状部材１６は、第１側板１１から第４側板１４の全ての側板を巡るようにカバー本体３の内周縁部に縫い合わされている。
垂幕状部材１６の裾には、紐状の錘１７が組み込まれている。
錘１７としては、合成樹脂またはゴムに、高比重の鉄粉、粘土、砂等の充填剤を混合し、細い紐状に成形してなるものを用いることができる。
また、錘１７として、連続した金属製の粒をポリエステル組紐等の被覆材で被覆してなるものを用いることもできる。
こうして、履物カバー１の履物載置面への押付力を錘１７によって増すことができるので、履物カバー１が風によって吹き飛ばされるのを確実に防ぐことができる。
また、垂幕状部材１６が錘１７によって履物載置面に向けて均一に引き伸ばされるので、カバー本体３と履物載置面との隙間を確実に塞ぐことができ、カバー本体３の内部への雨水や埃等の浸入を確実に防ぐことができる。
【００１８】
さらに、カバー本体３の下部には、錘１８を詰め込み可能なポケット部材１９が設けられている。
ポケット部材１９は、第１側板１１と第２側板１２との交わりの角部、第２側板１２と第３側板１３との交わりの角部、第３側板１３と第４側板１４との交わりの角部および第４側板１４と第１側板１１との交わりの角部にそれぞれ配置されている。
ポケット部材１９は、垂幕状部材１６の裏面に縫い付けられている。
ポケット部材１９に錘１８を詰め込むことにより、履物カバー１の履物載置面への押付力をより増すことができるとともに、垂幕状部材１６を履物載置面に向けてより強く引き伸ばすことができる。したがって、履物カバー１が風によって吹き飛ばされるのをより確実に防ぐことができるとともに、カバー本体３の内部への雨水や埃等の浸入をより確実に防ぐことができる。
錘１８としては、高比重の鉄粉、粘土、砂、ゲル状物、液状物等を袋詰めしてなるものを用いることができる。
また、例えば金属塊のような高比重物質の塊をそのまま錘１８として用いる態様もあり得る。
なお、本実施形態においては、ポケット部材１９をカバー本体３の下部に設ける例を示したが、これに限定されるものではなく、ポケット部材１９を、カバー本体３の上部や上下方向中間部に設けるようにしても良い。
また、本実施形態においては、ポケット部材１９を、４枚の側板１１〜１４における互いに隣接する側板１１，１２；１２，１３；１３，１４；１４，１１の交わりの角部に配置する例を示したが、これに限定されるものではなく、ポケット部材１９を、各側板１１，１２，１３，１４の背面側に配置するようにしても良い。
【００１９】
図１に示されるように、カバー本体３の上面側には、帯状の取っ手２０が付設されている。
取っ手２０は、天井部１０の上方において第２側板１２と第４側板１４との間に架設されている。
取っ手２０を持って履物カバー１を操作することにより、履物２に履物カバー１を被せたり、履物２に被せた履物カバー１を取り外したりする作業をより容易に行うことができる。
【００２０】
以上に述べたように構成される履物カバー１を庭やベランダ等に置いてある履物２に被せることにより、履物２に向かって飛んでくる雨や埃をカバー本体３で遮ることができるので、雨や埃等から履物２を保護することができる。
【００２１】
履物カバー１を使用しないときなどには、次のようにして扁平に折り畳んで適当な場所に収納することができる。
【００２２】
まず、図１に示される使用状態（展開状態）にある履物カバー１における、例えば第１側板１１と第２側板１２との接合部分を第３側板１３と第４側板１４との交わりの角部に向けてカバー本体３の内部側へと押し込む。
すると、図３に示されるように、第１側板１１が第４側板１４に重ね合わされるとともに、第２側板１２が第３側板１３に重ね合わされて、カバー本体３が二つ折りに折り畳まれる。
次いで、この二つ折りに折り畳まれたカバー本体３において、互いに重ね合わされた第１側板１１および第４側板１４と、互いに重ね合わされた第２側板１２および第３側板１３とを近づけるように折り畳む。
すると、図４に示されるように、本図においては左側から順に第４側板１４、第１側板１１、第２側板１２および第３側板１３が重ね合わされて、カバー本体３が四つ折りに折り畳まれる。
こうして、カバー本体３を扁平な四つ折り状態に折り畳むことができるので、履物カバー１を適当な場所にコンパクトに収納することができ、収納場所の選定に困るというようなことがない。
【００２３】
以上、本考案の履物カバーについて、一実施形態に基づいて説明したが、本考案は上記実施形態に記載した構成に限定されるものではなく、その趣旨を逸脱しない範囲において適宜その構成を変更することができるものである。
【符号の説明】
【００２４】
１      履物カバー
２      履物
３      カバー本体
１０    天井部
１１    第１側板
１２    第２側板
１３    第３側板
１４    第４側板
１６    垂幕状部材
１７    錘
１８    錘
１９    ポケット部材
２０    取っ手
【図１】
0003149569.tif 000003
【図２】
0003149569.tif 000004
【図３】
0003149569.tif 000005
【図４】
0003149569.tif 000006